(57)【特許請求の範囲】
【請求項１】
ユーザのオーディオパケットをインターネットフォンプロトコルによってインターネットプロトコルデータに作り、相手より伝送されるインターネットプロトコルデータのうちオーディオパケットを抽出し、無線ハンドセットとの無線データ送受信機能を行う通信処理及びシステム制御部、前記通信処理及びシステム制御部で行われるプログラムやデータを貯蔵するメモリ部、日付及び時間情報を生成して前記通信処理及びシステム制御部に伝達し、前記通信処理及びシステム制御部の命令によって日付及び時間情報を設定するリアルタイムクロック部、前記通信処理及びシステム制御部から出力されるオーディオパケットを前記無線ハンドセットに伝達し、前記無線ハンドセットからオーディオパケットを前記通信処理及びシステム制御部に伝送するブルーツースＲＦトランシーバ部、インターネット網と接続して前記無線ハンドセットからのオーディオパケットをインターネットフォンプロトコルによって送信し、相手よりのインターネットフォンプロトコルデータを受信するインターネット接続部、並びにブルーツース機能が備わった携帯電話からのＣＶＳＤまたはＰＣＭオーディオ信号をＧ．７２３．１またはＧ．７２９オーディオ信号に変換して前記通信処理及びシステム制御部に伝達する一方、当該通信処理及びシステム制御部からのＧ．７２３．１またはＧ．７２９オーディオ信号をＣＶＳＤまたはＰＣＭオーディオ信号に変換して前記携帯電話に伝達する圧縮オーディオ信号変換部を含むインターネットフォンステーションと、
インターネットフォンステーションと無線データ交換に必要な通信処理機能を行って各機能部を制御する通信処理及びハンドセット制御部、ユーザから命令を入力されて前記通信処理及びハンドセット制御部に伝達するユーザ入力部、前記ユーザが入力した情報及びハンドセットの状態情報を表示する画面表示部、前記通信処理及びハンドセット制御部で行われるプログラムや電話番号を貯蔵するメモリ部、前記通信処理及びハンドセット制御部で伝えられるデジタルオーディオデータをアナログ信号に変えてスピーカーに出力し、マイクからのオーディオ信号をデジタルオーディオデータに変換して前記通信処理及びハンドセット制御部に伝達するオーディオ処理部、並びに前記通信処理及びハンドセット制御部からのオーディオパケットを前記インターネットフォンステーションに送信し、前記インターネットフォンステーションからのオーディオパケットを受信して前記通信処理及びハンドセット制御部に伝送するブルーツースＲＦトランシーバ部を夫々含む複数のインターネットフォン用無線ハンドセットとを有しており、
インターネットフォンステーションの通信処理及びシステム制御部は、インターネットフォンステーション及び無線ハンドセット間の呼設定、及び解除情報並びに符号化されたオーディオデータ及びユーザインターフェース情報の送受信をＡＣＬリンクを通じて行うようになっており、
無線ハンドセットの夫々には固有のＩＤが与えられており、
インターネットフォンステーション及び無線ハンドセット間でＡＣＬリンクを通じて送受信されるオーディオパケットは、プロトコル識別子フィールド、メッセージタイプフィールド及び前記プロトコル識別子フィールドと前記メッセージタイプフィールド値に対応する可変長伝送データフィールドとからなるデータ構造を有しているインターネット無線電話機。
【請求項２】
前記通信処理及びシステム制御部は、前記インターネットフォンステーション及び前記無線ハンドセット間の呼設定、及び解除情報並びに符号化されたオーディオデータ及びユーザインターフェース情報の送受信を全てＡＣＬリンクを通じて行う請求項１に記載のインターネット無線電話機。
【請求項３】
前記ＡＣＬリンクは、呼設定のための既定のＡＣＬリンクであるか、または新たなＡＣＬリンクである請求項２に記載のインターネット無線電話機。
【請求項４】
前記インターネットフォンプロトコルは、国際標準規格のＨ．３２３方式またはＳＩＰ方式によってなされる請求項１に記載のインターネット無線電話機。
【請求項５】
前記リアルタイムクロック部は、日付及び時間情報を生成し、ユーザから入力された情報によって日付及び時間情報を再設定する請求項１に記載のインターネット無線電話機。
【請求項６】
インターネットフォンステーションは、インターネット網と接続されて国際標準規格のＨ．３２３方式またはＳＩＰ方式によって伝送されるデータを受信するようになっており、無線ハンドセットの夫々は、ユーザからのオーディオパケットをＧ．７２３．１またはＧ．７２９国際標準によって圧縮してＡＣＬリンクを通じて前記インターネットフォンステーションに送信するようになっている請求項１に記載のインターネット無線電話機。
【発明の詳細な説明】
【０００１】
【発明の属する技術分野】
本発明はインターネットを通じてオーディオ電話通話を行う方法及び装置に係り、特にインターネット網に接続された電話機の本体と無線ハンドセットとをブルーツース（Ｂｌｕｅｔｏｏｔｈ）無線リンクに接続したインターネット無線電話機に関する。
【０００２】
【従来の技術】
インターネットを用いてインターネットフォンを可能にするために既存のインターネットフォン機は主に次のような方式で具現された。
【０００３】
第１は、一般の電話機のように１つの胴体よりなる形であって、一般の電話機と同様に２人以上の同時通話ができず、近接して使用せねばならない不便さがある。
【０００４】
第２は、多数の人のインターネット同時通話を可能にするために複数の電話機に接続できるゲートウェイ装置を用いる形であって、あらゆる電話機とゲートウェイとが電話線にて接続されなければならないために電話線接続に伴う不便さがある。
【０００５】
第３は、ブルーツース標準によって無線ハンドセットとブルーツースアクセスポイントとを用いて無線電話機能を具現する形である、この形態にも幾つかの方法があるが、無線電話プロファイル方式を使用すれば、同時通話者の数が限られ、ＬＡＮアクセスプロファイル方式を使用すれば、それぞれの無線ハンドセットに仮想のＩＰアドレスが与えられるために、特定の無線ハンドセットのそれぞれからの外部への電話は可能であるが、外部から特定の無線ハンドセットへの通話はできない問題点がある。
【０００６】
【発明が解決しようとする課題】
前記問題を解決するために本発明では、１つのインターネットフォンステーションに対して最大７つの無線ハンドセットが個別的に無線リンクを設定可能にし、設定された無線リンクを通じてインターネットフォンステーションと該当無線ハンドセット間にはパケットの形でオーディオデータの交換を可能にすることによって、既存のインターネットフォン機が有している使用空間の制約性を無くすと共に、１本のインターネット回線を用いて最大７人の同時通話を可能にする手段を提供することをその目的とする。
【０００７】
【課題を解決するための手段】
前記目的を達成するために本発明のインターネット無線電話機は、インターネットフォンステーションと、複数のインターネットフォン用無線ハンドセットとを有しており、インターネットフォンステーションは、ユーザのオーディオパケットをインターネットフォンプロトコルによってインターネットプロトコルデータに作り、相手より伝送されるインターネットプロトコルデータのうちオーディオパケットを抽出し、無線ハンドセットとの無線データ送受信機能を行う通信処理及びシステム制御部と、前記通信処理及びシステム制御部で行われるプログラムやデータを貯蔵するメモリ部と、日付及び時間情報を生成して前記通信処理及びシステム制御部に伝達し、前記通信処理及びシステム制御部の命令によって日付及び時間情報を設定するリアルタイムクロック部と、前記通信処理及びシステム制御部から出力されるオーディオパケットを前記無線ハンドセットに伝達し、前記無線ハンドセットからオーディオパケットを前記通信処理及びシステム制御部に伝送するブルーツースＲＦトランシーバ部と、インターネット網と接続して前記無線ハンドセットからのオーディオパケットをインターネットフォンプロトコルによって送信し、相手よりのインターネットフォンプロトコルデータを受信するインターネット接続部とを含む。斯かるインターネットフォンステーションは、ブルーツース機能が備わった携帯電話からのＣＶＳＤまたはＰＣＭオーディオ信号をＧ．７２３．１またはＧ．７２９オーディオ信号に変換して前記通信処理及びシステム制御部に伝達する一方、当該通信処理及びシステム制御部からのＧ．７２３．１またはＧ．７２９オーディオ信号をＣＶＳＤまたはＰＣＭオーディオ信号に変換して前記携帯電話に伝達する圧縮オーディオ信号変換部を更に含む。
【０００８】
前記目的を達成するために本発明のインターネット無線電話機のインターネットフォン用無線ハンドセットは、インターネットフォンステーションと無線データ交換に必要な通信処理機能を行って各機能部を制御する通信処理及びハンドセット制御部と、ユーザから命令を入力されて前記通信処理及びハンドセット制御部に伝達するユーザ入力部と、前記ユーザが入力した情報及びハンドセットの状態情報を表示する画面表示部と、前記通信処理及びハンドセット制御部で行われるプログラムや電話番号を貯蔵するメモリ部と、前記通信処理及びハンドセット制御部で伝えられるデジタルオーディオデータをアナログ信号に変えてスピーカーに出力し、マイクからのオーディオ信号をデジタルオーディオデータに変換して前記通信処理及びハンドセット制御部に伝達するオーディオ処理部と、前記通信処理及びハンドセット制御部からのオーディオパケットを前記インターネットフォンステーションに送信し、前記インターネットフォンステーションからのオーディオパケットを受信して前記通信処理及びハンドセット制御部に伝送するブルーツースＲＦトランシーバ部とを含む。
【０００９】
前記目的を達成するために本発明では、インターネット網と接続されて国際標準規格のＨ．３２３方式またはＳＩＰ（Ｓｅｓｓｉｏｎ Ｉｎｉｔｉａｔｉｏｎ Ｐｒｏｔｏｃｏｌ）方式によって伝送されるデータを受信するインターネットフォンステーションと、ユーザからのオーディオパケットをＧ．７２３．１またはＧ．７２９国際標準によって圧縮してブルーツースの非同期非接続リンク（Ａｓｙｎｃｈｒｏｎｏｕｓ Ｃｏｎｎｅｃｔｉｏｎ−Ｌｅｓｓ；ＡＣＬ）を通じて前記インターネットフォンステーションに送信する無線ハンドセットを含むインターネット無線電話機を提供する。前記通信処理及びシステム制御部は、前記インターネットフォンステーション及び前記無線ハンドセット間の呼設定、及び解除情報並びに符号化されたオーディオデータ及びユーザインターフェース情報の送受信を全てＡＣＬリンクを通じて行ってもよい。
【００１０】
前記目的を達成するために本発明では、インターネットフォンステーションと非同期非接続リンクとを設定する段階と、かけようとする相手のインターネットフォン番号を入力される段階と、前記入力されたインターネットフォン番号に該当する呼設定に必要なセットアップメッセージを前記設定された非同期非接続リンクを通じてインターネットフォンステーションに伝送する段階と、前記セットアップメッセージを伝達されたインターネットフォンステーションが、通話しようとする相手に電話接続要求メッセージをインターネットを通じて伝送する段階と、前記電話接続要求メッセージを伝送した後、前記設定された非同期非接続リンクを通じて前記インターネットフォンステーションから呼進行メッセージを受信する段階と、前記インターネットフォンステーションが、通話しようとする相手から呼出しメッセージを受信し、前記設定された非同期非接続リンクを通じて前記インターネットフォンステーションから呼出しメッセージを受信する段階と、前記インターネットフォンステーションが、前記インターネットを通じて電話接続を完了したならば前記設定された非同期非接続リンクを通じて前記インターネットフォンステーションから接続メッセージを受信する段階と、前記接続メッセージを受信すれば前記設定された非同期非接続リンクを通じて接続応答メッセージを前記インターネットフォンステーションに伝送する段階とを含む無線ハンドセットをしてインターネットフォンをかけさせる呼出し信号接続方法を提供する。
【００１１】
前記目的を達成するために本発明では、インターネットフォンステーションから電話接続要求メッセージを受信する段階と、前記受信された電話接続要求メッセージが自分の無線ハンドセットに該当するメッセージである場合、前記インターネットフォンステーションと非同期非接続リンクとを設定する段階と、電話をかけた相手より前記電話接続要求メッセージを受けた前記インターネットフォンステーションから呼設定に必要なセットアップメッセージを前記設定された非同期非接続リンクを通じて受信する段階と、前記セットアップメッセージを受信すれば呼出しメッセージを前記設定された非同期非接続リンクを通じて前記インターネットフォンステーションに伝送し、前記インターネットフォンステーションは前記相手方に呼出しメッセージを伝送する段階と、前記インターネットフォンステーションが前記呼出しメッセージを伝送すれば、前記設定された非同期非接続リンクを通じてインターネットフォンステーションに接続メッセージを送信し、前記接続メッセージを受信した前記インターネットフォンステーションが相手に電話接続完了メッセージを伝送する段階と、前記インターネットフォンステーションが前記電話接続完了メッセージを伝送した後、前記設定された非同期非接続リンクを通じて前記インターネットフォンステーションから接続完了メッセージを受信して通話チャンネルを設定する段階とを含む無線ハンドセットがインターネットフォンを受ける着信号接続方法を提供する。
【００１２】
前記目的を達成するために本発明では、プロトコル識別子フィールド、メッセージタイプフィールド及び前記プロトコル識別子フィールドと前記メッセージタイプフィールド値に対応する可変長伝送データフィールドよりなる非同期非接続リンクで使われる資料構造において、前記プロトコル識別子フィールドに前記非同期非接続リンクを通じて圧縮されたオーディオデータの伝達を意味する情報が貯蔵された場合には、前記可変長伝送データ領域に圧縮されたオーディオデータを載せて伝送することを特徴とする非同期非接続リンクを通じて圧縮されたオーディオデータを伝達するのに使われるデータ構造を提供する。
【００１３】
前記目的を達成するために本発明では、伝達せねばならない情報が圧縮されたオーディオデータであることを示すプロトコル識別子フィールドと、前記プロトコル識別子フィールドに前記圧縮されたオーディオデータ伝達を意味する情報が貯蔵された場合、流れ制御機能使用の如何、及び前記圧縮されたオーディオ情報の受信状態を示すメッセージタイプフィールドと、前記プロトコル識別子フィールドと前記メッセージタイプフィールドとに対応する圧縮されたオーディオ情報を貯蔵している可変長伝送データフィールドを備える非同期非接続リンクを通じて圧縮されたオーディオデータを伝達するのに使われるデータ構造を提供する。
【００１４】
【発明の実施の形態】
以下、添付した図面に基づき、本発明に係る望ましい一実施例を詳細に説明する。
【００１５】
図１は、本発明のインターネット無線電話機の全体ブロック図である。
【００１６】
本発明のインターネット無線電話機はインターネットフォンステーション１００と無線ハンドセット１１０とで構成される。
【００１７】
インターネットフォンステーション１００は固定型装置であって、通信処理及びシステム制御部２１０、メモリ部２２０、リアルタイムクロック（ＲＴＣ）部２３０、ブルーツースＲＦトランシーバ部２４０、そしてインターネット接続部２５０で構成される。インターネットフォンステーション１００はブルーツース無線リンクを用いて最大７つの無線ハンドセットと呼設定及び解除を行い、オーディオ符号化データ及びユーザインターフェース情報を交換し、ＡＤＳＬ（Ａｓｙｍｍｅｔｒｉｃ Ｄｉｇｉｔａｌ Ｓｕｂｓｃｒｉｂｅｒ Ｌｉｎｅ）モデムやエサーネット接続モジュールを用いてインターネットフォンプロトコル処理を行う。
【００１８】
無線ハンドセット１１０は、図５を参照して通信処理及びハンドセット制御部５１０、ユーザ入力部５２０、画面表示部５３０、メモリ部５４０、オーディオ処理部５５０、そしてブルーツースＲＦトランシーバ部５６０で構成される。無線ハンドセット１１０はオーディオコデック機能とユーザインターフェース機能とを有しており、ブルーツース無線リンクを通じてインターネットフォンステーション１００と呼設定及び解除を行い、符号化されたオーディオデータ及びユーザインターフェース情報を送受信する。したがって、一般家庭用無線電話機を使用したように無線にて通話が可能である。
【００１９】
図２は、本発明のインターネット無線電話機のインターネットフォンステーションの構成図である。
【００２０】
インターネットフォンステーション１００は通信処理及びシステム制御部２１０、メモリ部２２０、ＲＴＣ部２３０、ブルーツースＲＦトランシーバ部２４０及びインターネット接続部２５０で構成される。
【００２１】
通信処理及びシステム制御部２１０はプログラムにより動作する高速処理プロセッサーモジュール、ブルーツースＲＦトランシーバインターフェースモジュール、ブルーツースベースバンド処理モジュール、メモリ制御モジュール及び汎用入出力部で構成され、インターネットフォンプロトコル処理機能と無線ハンドセットとの無線データ交換のための通信処理機能を行う。
【００２２】
インターネットフォンプロトコル処理は公知の国際標準規格のＨ．３２３方式やＳＩＰ方式で行われ、無線ハンドセットと無線データ交換のための通信処理は公知のブルーツース規格で、１つのマスターと７つのスレーブ間の無線リンク設定を可能にする非同期非接続型リンクを通じて行われる。
【００２３】
ブルーツースシステムは、マルチメディア応用サービスを支援するために、同期接続型（Ｓｙｎｃｈｒｏｎｏｕｓ Ｃｏｎｎｅｃｔｉｏｎ−Ｏｒｉｅｎｔｅｄ；ＳＣＯ）とＡＣＬの２種のリンクを定義する。通常、ＳＣＯリンクは通話のために使われるが、対称的でかつ回線交換方式を使用してＳＣＯリンクデータが伝送される。そして、点対点（ｐｏｉｎｔ−ｔｏ−ｐｏｉｎｔ）通信を支援する。このようなリンクは一定の間隔で２つの連続的なスロット（フォワード及びリターンリスロット）を有する。
【００２４】
ＡＣＬリンクはバーストしたデータ伝送のために使われるが、対称的または非対称的でありつつパケット交換方式であり、点対多点（ｐｏｉｎｔ−ｔｏ−ｍｕｌｔｉｐｏｉｎｔ）通信を支援する。マスター装置はＡＣＬ通信を制御するためにポーリング方式を使用する。
【００２５】
また、マスター装置はスレーブに該当する無線ハンドセットとのＡＣＬリンクを通じ、呼設定及び解除メッセージ、オーディオ符号化データ及びユーザインターフェース情報を交換する。各無線ハンドセットの識別は既定のインターネットフォン番号を用いてなる。
【００２６】
インターネットフォン番号はステーションの４バイトインターネットＩＰアドレスとハンドセットのＩＤ番号とで構成されうる。例えば、あるハンドセットのＩＤが２であり、インターネットフォンステーションのＩＰアドレスが２１８．３４．５２．２１９であれば、そのハンドセットのインターネットフォン番号は２１８．３４．５２．２１９．２となる。そして、他の形のインターネットフォン番号も有り得る。すなわち、識別子番号（＃，＠）と電話番号、そしてＩＤで構成することもできる。例えば、＃０４２−８２８−６０４３−１のように設定しうる。
【００２７】
そして、通信処理及びシステム制御部２１０はＲＴＣ部２３０から日付及び時間情報を入力されて無線ハンドセットに周期的に伝達する。
【００２８】
メモリ部２２０は通信処理及びシステム制御部２１０が行うプログラムや長期間保管が必要なデータを貯蔵するフラッシュメモリと、臨時データを貯蔵するＲＡＭで構成される。
【００２９】
ＲＴＣ部２３０は日付及び時間情報を生成して通信処理及びシステム制御部２１０に伝達するか、通信処理及びシステム制御部２１０の命令によって日付及び時間情報を新たに設定する。日付及び時間情報は通信処理及びシステム制御部２１０により無線ハンドセットに周期的に伝えられる。そして、無線ハンドセットを通じてユーザが直接日付及び時間情報を再設定しうる。
【００３０】
ブルーツースＲＦトランシーバ部２４０は通信処理及びシステム制御部２１０のブルーツースＲＦトランシーバインターフェースを通じて出力される信号を無線ハンドセットに伝達し、無線ハンドセットから受信された信号を通信処理及びシステム制御部２１０に伝達する。
【００３１】
インターネット接続部２５０は一般のＡＤＳＬモデムやエサーネット接続モジュールを用いて、インターネットを通じて他の通信装置とデータを送受信する。
【００３２】
圧縮オーディオ信号変換部２６０は、ＣＶＳＤ（Ｃｏｎｔｉｎｕｏｕｓ Ｖａｒｉａｂｌｅ Ｓｌｏｐｅ Ｄｅｌｔａ）オーディオ信号またはＰＣＭ（Ｐｕｌｓｅ Ｃｏｄｅｄ Ｍｏｄｕｌａｔｉｏｎ）オーディオ信号をＧ．７２３．１オーディオ信号に変換させたり、Ｇ．７２３．１オーディオ信号をＣＶＳＤまたはＰＣＭオーディオ信号に変換して前記通信処理及びシステム制御部２１０に伝達する。圧縮オーディオ信号変換部２６０が存在するために、ブルーツース機能が備わった携帯電話で同期接続型（Ｓｙｎｃｈｒｏｎｏｕｓ Ｃｏｎｎｅｃｔｉｏｎ Ｏｒｉｅｎｔｅｄ；ＳＣＯ）リンクに伝えられるＣＶＳＤまたはＰＣＭオーディオ信号をＧ．７２３．１オーディオ信号に変換してインターネットフォンステーションに伝達し、反対にＧ．７２３．１オーディオ信号をＣＶＳＤまたはＰＣＭオーディオ信号に変換してブルーツース機能が備わった携帯電話に伝達できる。したがって、ブルーツース機能が備わった携帯電話を家庭用無線電話機のハンドセットの代りに使っても良い。
【００３３】
図３は、インターネットフォンステーションの詳細ブロック図である。
【００３４】
ＣＰＵ３１０は３２ビットリスク（ＲＩＳＣ）プロセッサであってＤＳＰ（Ｄｉｇｉｔａｌ Ｓｉｇａｎａｌ Ｐｒｏｃｅｓｓ）命令を処理しうる。通信処理及びシステム制御部２１０は１２８Ｋｂｙｔｅの内部メモリ（ＳＲＡＭ、ＣＡＣＨＥ）３２０を有し、外部メモリインターフェース部３３０をも有していて、外部のフラッシュロム（Ｆｌａｓｈ ＲＯＭ）３４０とＳＲＡＭ３５０と接続されうる。
【００３５】
通信処理及びシステム制御部２１０には各種レジスター、インタラプト及びタイマー制御器３６０が存在し、３２ｂｉｔのＧＰＩＯ（Ｇｅｎｅｒａｌ Ｐｕｒｐｏｓｅ Ｉｎｐｕｔ Ｏｕｔｐｕｔ）部３７０も存在する。
【００３６】
ブルーツースビット制御器３８０は順方向誤り訂正（ＦＥＣ）、ヘッダエラー制御、ＣＲＣ（Ｃｙｃｌｉｃ Ｒｅｄｕｎｄａｎｃｙ Ｃｈｅｃｋ）、エンクリプション（ｅｎｃｒｙｐｔｉｏｎ）を行って送信するデータパケットを作り、ＲＦトランシーバインターフェース３８４を通じてブルーツースＲＦトランシーバ部３１４に伝達する。ＲＦトランシーバインターフェースを通じてＲＦトランシーバ部３１４から伝えられるデータはブルーツースビット制御器３８０に伝えられる。ブルーツース電力制御器３８２は送受信電力を制御して内部高速クロックを生成するためのＰＬＬ（Ｐｈａｓｅ Ｌｏｃｋ Ｌｏｏｐ）を駆動させる。
【００３７】
そして、通信処理及びシステム制御部２１０にはインターネット接続部２５０が接続されているが、インターネット接続部２５０はエサーネットコントローラー３１１、ｘＤＳＬモジュール３１２及びＰＳＴＮモジュール３１３で構成されている。したがって、インターネット接続部２５０を通じてインターネット及び一般電話網に接続される。
【００３８】
ＬＥＤ３９０は網接続状態、ブルーツースリンクの接続状態などを表示するためにＧＰＩＯ部３７０に接続され、ＣＰＵ３１０で制御される。
【００３９】
図４Ａは通信処理及びシステム制御部のＲＯＭに搭載されたソフトウェアプロトコルスタック図面である。
【００４０】
ブルーツース機能は、ＧＡＰ（Ｇｅｎｅｒｉｃ Ａｃｃｅｓｓ Ｐｒｏｆｉｌｅ）４１０、ＳＤＰ（Ｓｅｒｖｉｃｅ ｄｉｓｃｏｖｅｒｙ ｐｒｏｆｉｌｅ）４１１、ＣＴＰ（Ｃｏｒｄｌｅｓｓ Ｔｅｌｅｐｈｏｎｙ Ｐｒｏｆｉｌｅ）４１２とＴＣＳ（Ｔｅｌｅｐｈｏｎｙ Ｃｏｎｔｒｏｌ Ｐｒｏｔｏｃｏｌ Ｓｐｅｃｉｆｉｃａｔｉｏｎ）４１３、ＬＭＰ（Ｌｉｎｋ Ｍａｎａｇｅｍｅｎｔ Ｐｒｏｔｏｃｏｌ）４１４、ＢＢ（Ｂａｓｅｂａｎｄ）／ＬＭ（Ｌｉｎｋｍａｎａｇｅ）４１５により具現される。
【００４１】
ＧＡＰ４１０はブルーツース無線リンクの生成及び解除機能とパワーセーブモードＰＡＲＫを支援し、ＳＤＰ４１１はブルーツースネックワーク内に存在する装置が提供するサービス種類を確認して無線電話サービスのみを支援するための機能を有する。ＣＴＰ４１２は無線電話サービスを提供するためのプロファイルとしてＴＣＳ４１３の運用に関する規約を満たせる。
【００４２】
ＴＣＳ４１３を通じた呼制御メッセージは順序制御及びエラー復旧機能を担当するリンク制御プロトコルのＬ２ＣＡＰ４１６を通じて伝えられ、Ｇ．７２３．１オーディオパケットもＬ２ＣＡＰ４１６を通じて伝えられる。
【００４３】
ＧＰＩＯドライバー４２０はＬＥＤ３９０を制御してネックワークドライバー４２１はエサーネット、ｘＤＳＬ、ＰＳＴＮ接続機能を行う。
【００４４】
ＴＣＳ４１３によってなされる呼接続過程はＨ．３２３と連動されてなり、Ｈ．３２３プロトコルを通じて相手のインターネットフォンと接続される。このためにＴＣＰ／ＩＰプロトコル４２２、エサーネットドライバー及びエサーネット制御器４２３が存在する。システム制御ソフトウェア４３０はブルーツースプロファイル管理、インターネットフォンプロトコル（Ｈ．３２３）４２４制御及びパスワード資源管理などを行う。
【００４５】
図４Ｂはブルーツースインターフェースが備わった携帯電話と通信する場合に使われる、通信処理及びシステム制御部のＲＯＭに搭載されたソフトウェアプロトコルスタック図面である。
【００４６】
図４Ｂのプロトコルスタックは図４Ａと類似している。但し、ＢＢ／ＬＭ、ＲＦ４５０上にＣＶＳＤ４６０とＧ．７２３スタック４７０とが位置する。
【００４７】
図５は、本発明のインターネット無線電話機の無線ハンドセットブロック図である。
【００４８】
無線ハンドセットは、通信処理及びハンドセット制御部５１０、ユーザ入力部５２０、画面表示部５３０、メモリ部５４０、オーディオ処理部５５０及びブルーツースＲＦトランシーバ部５６０で構成される。
【００４９】
通信処理及びハンドセット制御部５１０はプログラムにより動作する高速処理プロセッサーモジュール、ブルーツースＲＦトランシーバインターフェースモジュール、ブルーツースベースバンド処理モジュール、メモリ制御モジュール及び汎用入出力部で構成される。
【００５０】
そして、通信処理及びハンドセット制御部５１０はユーザ入力部５２０から伝えられたキーパッド信号を処理し、画面表示部５３０に出力される文字情報を生成し、オーディオデータの圧縮及び復元のためのオーディオコデック機能を行う。またオーディオ処理部５５０とオーディオデータとを送受信し、オーディオ処理部５５０から出力されるオーディオデータを生成してオーディオ処理部５５０に伝達し、インターネットフォンステーションと無線データ交換のための通信処理機能を行う。
【００５１】
オーディオデータの圧縮及び復元のためのオーディオコデック機能は公知の国際標準方式のＧ．７２３．１方式やＧ．７２９方式を用いて具現する。インターネットフォンステーションとの無線データ交換のための通信処理は公知のブルーツース規格で、１つのマスターと７つのスレーブ間の無線リンク設定を可能にするＡＣＬリンクを通じて行われる。ハンドセットはマスターに該当するインターネットフォンステーションとＡＣＬリンクを通じて呼設定及び解除メッセージ、オーディオ符号化データ及びユーザインターフェース情報を送受信する。また日付及び時間情報がインターネットフォンステーションから周期的に伝達される。
【００５２】
ユーザ入力部５２０はキーパッド及び駆動素子で構成され、ユーザがキーパッドを押せば該当信号を通信処理及びハンドセット制御部５１０の汎用入出力部を通じて通信処理及びハンドセット制御部５１０に伝達する。キーパッドには番号ボタン、通話ボタン及びその他メニュー選択ボタンなどが含まれる。
【００５３】
画面表示部５３０は文字表示用ＬＣＤ及び駆動素子で構成され、ユーザが押した電話番号、発信者電話番号、メモリ部５４０に貯蔵された電話帳情報、日付及び時間情報、そしてユーザが選択した機能に対する処理結果などを表示する。
【００５４】
メモリ部５４０は通信処理及びハンドセット制御部５１０が行うプログラムや電話帳のように長期間保管が必要なデータを貯蔵するフラッシュメモリと、臨時データを貯蔵するＲＡＭとで構成される。
【００５５】
オーディオ処理部５５０は通信処理及びハンドセット制御部５１０で伝達するデジタルオーディオデータとリングバックトーン、ダイヤルトーンなどの多様なオーディオデータをアナログ信号に変換させてスピーカーを通じて出力し、マイクを通じて入力されたアナログオーディオ信号をデジタルデータに変換させて通信処理及びハンドセット制御部５１０に伝達する。
【００５６】
ブルーツースＲＦトランシーバ部５６０は通信処理及びハンドセット制御部５１０のブルーツースＲＦトランシーバインターフェースを通じて伝えられる信号を無線でインターネットフォンステーション１００に伝達し、インターネットフォンステーション１００のブルーツースＲＦトランシーバ部２４０から受信された信号を通信処理及びハンドセット制御部５１０に伝達する。
【００５７】
図６は本発明の無線ハンドセットの詳細ブロック図である。
【００５８】
ＣＰＵ６１０は３２ビットリスク（ＲＩＳＣ）プロセッサーであってＤＳＰ命令を処理しうる。通信処理及びハンドセット制御部５１０は１２８Ｋｂｙｔｅの内部メモリ（ＳＲＡＭ、ＣＡＣＨＥ）６１１を有し、外部メモリインターフェース部６１２をも有しており、外部のフラッシュＲＯＭ６３０とＳＲＡＭ６２０と接続されうる。
【００５９】
通信処理及びハンドセット制御部５１０には各種レジスター、インタラプト及びタイマー制御器６１３が存在し、３２ｂｉｔのＧＰＩＯ部６１４も存在する。
【００６０】
ブルーツースビット制御器６１５は順方向誤り訂正（ＦＥＣ）、ヘッダエラー制御、ＣＲＣ、エンクリプションを行って送信するデータを作り、ＲＦトランシーバインターフェースを通じてブルーツースＲＦトランシーバ部６４０に伝達する。ＲＦトランシーバインターフェースを通じてＲＦトランシーバ部６４０から伝えられるデータはブルーツースビット制御器６１５に伝えられる。
【００６１】
ブルーツースの電力制御器６１６は送受信電力を制御して内部高速クロックを生成するためのＰＬＬを駆動させる。
【００６２】
また、ＤＳＰ機能を用いてＣＶＳＤ及びＰＣＭコデック処理を行い、処理されたオーディオデータを外部のアナログ装置（Ａ／Ｄ変換器、Ｄ／Ａ変換器）６５０に伝達してマイクとスピーカーとに送る。ＤＳＰ機能を用いてマイクから入力されるオーディオ信号をＧ．７２３．１オーディオデータにエンコーディングし、受信されたオーディオパケットをＧ．７２３．１形式によってデコーディングしてスピーカーに出力する。
【００６３】
ユーザインターフェースのキーパッド６６０とＬＣＤ６７０とはＧＰＩＯ部６１４に接続されて各々キー入力を行って情報を出力する。キーパッドは入力キーの状態をＧＰＩＯ部６１４を通じて約１０ｍｓｅｃ毎に検査して同じキーが３回以上押された時に正しいキーが押されたと判断する。ユーザが押したキーを表示し、電話が来た時、相手方の電話番号（またはＩＰアドレス、インターネットフォン番号、ユーザ名）などを表示するＬＣＤ６７０はＧＰＩＯ部６１４に接続されてＣＰＵ６１０により制御される。
【００６４】
図７は、通信処理及びハンドセット制御部のＲＯＭに搭載されるソフトウェアプロトコルスタック図面である。
【００６５】
ブルーツース機能は、ＧＡＰ（ｇｅｎｅｒｉｃ ａｃｃｅｓｓ ｐｒｏｆｉｌｅ）７１０、ＳＤＰ（Ｓｅｒｖｉｃｅ ｄｉｓｃｏｖｅｒｙ ｐｒｏｆｉｌｅ）７１１、ＣＴＰ（Ｃｏｒｄｌｅｓｓ Ｔｅｌｅｐｈｏｎｙ Ｐｒｏｆｉｌｅ）７１２とＴＣＳ（Ｔｅｌｅｐｈｏｎｙ Ｃｏｎｔｒｏｌ Ｐｒｏｔｏｃｏｌ Ｓｐｅｃｉｆｉｃａｔｉｏｎ）７１３、ＬＭＰ（Ｌｉｎｋ Ｍａｎａｇｅｍｅｎｔ Ｐｒｏｔｏｃｏｌ）７１４、ＢＢ（Ｂａｓｅｂａｎｄ）／ＬＭ（Ｌｉｎｋ ｍａｎａｇｅ）７１５により具現される。
【００６６】
ＧＡＰ７１０はブルーツース無線リンクの生成及び解除機能とパワーセーブモード（ＰＡＲＫ）を支援し、ＳＤＰ７１１はブルーツースネックワーク内に存在する装置が提供するサービス種類を確認して無線電話サービスだけを提供するための機能を有する。ＣＴＰ７１２は無線電話サービスを提供するためのプロファイルとしてＴＣＳ７１３の運用に関する規約を満たす。
【００６７】
ＴＣＳ７１３を通じて呼設定と解除及びＧ．７２３．１オーディオパケットの送受信がなされる。ＴＣＳ７１３を通じた呼制御メッセージは順序制御及びエラー復旧機能を担当するリンク制御プロトコルのＬ２ＣＡＰ７１６を通じて伝えられ、Ｇ．７２３．１オーディオコデック７２２のパケットもＬ２ＣＡＰ７１６を通じて送受信される。ＧＰＩＯドライバー７２０はキーパッドとＬＣＤとを制御し、ＰＣＭドライバー７２１はオーディオデータをＧ．７２３．１オーディオエンコーダに提供してデコーディングされたＰＣＭデータをスピーカーに出力する。
【００６８】
システム制御ソフトウェア７３０はブルーツースプロファイル管理、ユーザ情報及びパスワード管理とユーザが選択する機能（インターネットフォン、ＰＳＴＮ電話選択、短縮ダイヤル）によってシステムを管理する機能を行う。
【００６９】
図８は無線ハンドセットを用いてインターネットフォンをかける呼出し信号接続過程の例を示す図面である。
【００７０】
無線ハンドセットで相手のインターネットフォン番号を押せば、セットアップＳＥＴＵＰメッセージがインターネットフォンステーションに伝えられる（８１０）。インターネットフォンステーションではインターネットを通じて公知のＨ．３２３方式やＳＩＰ方式によって相手に電話接続要求メッセージを伝達し（８２０）、無線ハンドセットに呼進行ＣＡＬＬ ＰＲＯＣメッセージを伝達して呼が進行中であることを知らせる（８３０）。
【００７１】
インターネットフォンステーションが相手より呼出し中メッセージを受信すれば（８４０）、呼出しＡＬＥＲＴメッセージを無線ハンドセットに伝達し、無線ハンドセットはリングバックトーン信号をスピーカーを通じて発する（８５０）。
【００７２】
次いで、インターネットフォンステーションで相手より電話接続完了メッセージを受ければ（８６０）、接続ＣＯＮＮＥＣＴメッセージを無線ハンドセットに伝達し（８７０）、これを受信した無線ハンドセットはインターネットフォンステーションに接続応答ＣＯＮＮＥＣＴ ＡＣＫＮＯＷＬＥＤＧＥメッセージを伝達することで通話準備がなされる（８８０）。次いで、符号化されたオーディオデータがインターネットフォンステーションと無線ハンドセットとの間で送受信され、相手と通話がなされる（８９０）。
【００７３】
以上のインターネットフォンステーションと無線ハンドセット間の呼出し信号接続過程で使われるあらゆるメッセージはＡＣＬリンクを通じて伝えられる。
【００７４】
通話中に他の無線ハンドセットが電話をかける場合にも同じ呼出し信号接続過程がなされる。各無線ハンドセットが既定のインターネットフォン番号により識別されるからである。
【００７５】
そして、インターネットフォンステーションに圧縮オーディオ信号変換部をさらに備えた時にはハンドセットの代りにブルーツース機能が備わった携帯電話がインターネットフォンステーションと接続されうる。
【００７６】
ブルーツース機能が備わった携帯電話を用いて電話をかける過程は、図８のように無線ハンドセットが電話をかける呼出し信号接続過程と同一である。このためにインターネットフォンステーションにＣＶＳＤ（Ｃｏｎｔｉｎｕｏｕｓ Ｖａｒｉａｂｌｅ Ｓｌｏｐｅ Ｄｅｌｔａ）またはＰＣＭオーディオ信号をＧ．７２３．１オーディオ信号に変換させうる圧縮オーディオ信号変換部が備えられなければならない。それにより、ブルーツース機能が備わった携帯電話で同期接続型（Ｓｙｎｃｈｒｏｎｏｕｓ Ｃｏｎｎｅｃｔｉｏｎ Ｏｒｉｅｎｔｅｄ；ＳＣＯ）リンクに伝えられるＣＶＳＤまたはＰＣＭオーディオ信号をＧ．７２３．１オーディオ信号に変換してインターネットフォンステーションに伝達し、逆にＧ．７２３．１オーディオ信号をＣＶＳＤまたはＰＣＭオーディオ信号に変換してブルーツース機能が備わった携帯電話に伝達する。
【００７７】
図９は外部からかかってきたインターネットフォンを無線ハンドセットで受ける着信号接続過程の例を示す図面である。
【００７８】
インターネットを通じて公知のＨ．３２３方式やＳＩＰ方式によってインターネットフォンステーションが電話接続要求メッセージを受信すれば（９１０）、接続要求された無線ハンドセットのインターネットフォン番号を含んだセットアップＳＥＴＵＰメッセージを無線ハンドセットに伝達する（９２０）。
【００７９】
発信側の電話番号（Ｃａｌｌｅｒ ＩＤ）は発信者確認サービス提供時にセットアップＳＥＴＵＰメッセージに含まれ、そうでない場合には含まれない。セットアップＳＥＴＵＰメッセージを受信した無線ハンドセットはリングトーンを発生させ、インターネットフォンステーションに呼出しＡＬＥＲＴメッセージを伝達する（９３０）。
【００８０】
呼出しＡＬＥＲＴメッセージを受信したインターネットフォンステーションは相手方に呼出し中メッセージを伝達する（９４０）。無線ハンドセットはユーザが電話を受ければ接続ＣＯＮＮＥＣＴメッセージをインターネットフォンステーションに伝達し（９５０）、インターネットフォンステーションでは相手に電話接続完了メッセージを伝達し（９６０）、接続応答ＣＯＮＮＥＣＴ ＡＣＫＮＯＷＬＥＤＧＥメッセージを無線ハンドセットに伝達することによって通話準備がなされる（９７０）。次いで、符号化されたオーディオデータがインターネットフォンステーションと無線ハンドセットとの間で送受信され、相手との通話がなされる（９８０）。
【００８１】
以上のインターネットフォンステーションと無線ハンドセットとの着信号接続過程で使われるあらゆるメッセージはＡＣＬリンクを通じて伝えられる。
【００８２】
通話中に他の無線ハンドセットから電話がかかってくる場合にも同じ着信号接続過程がなされる。各無線ハンドセットが既定のインターネットフォン番号によって区別されるからである。
【００８３】
図１０は通話を終える場合の呼解除手順を示す図面である。
【００８４】
通話を進行していて無線ハンドセットで電話を切れば、ディスコネクトＤＩＳＣＯＮＮＥＣＴメッセージが無線ハンドセットからインターネットフォンステーションに伝えられる（１０１０）。これを受信したインターネットフォンステーションはインターネットを通じて公知のＨ．３２３方式やＳＩＰ方式によって接続解除要求メッセージを相手に伝達する（１０２０）。次いで、インターネットフォンステーションが相手より接続解除完了メッセージを受信すれば（１０３０）、呼解除ＲＥＬＥＡＳＥメッセージを無線ハンドセットに伝達し（１０４０）、これを受信した無線ハンドセットは呼解除完了ＲＥＬＥＡＳＥ ＣＯＭＰＬＥＴＥメッセージに応答して呼が解除される（１０５０）。
【００８５】
以上のインターネットフォンステーションと無線ハンドセット間の呼解除過程で使われるあらゆるメッセージはＡＣＬリンクを通じて伝えられる。
【００８６】
他の無線ハンドセットとの通話中に電話を切る場合にも前述したような呼解除過程がなされる。
【００８７】
図１１Ａないし図１１Ｃは前述したＡＣＬリンクで使われるパケットのデータ構造を示す図面である。
【００８８】
図１１Ａを参照すれば、３ビットのプロトコル識別子フィールド１１１０と５ビットのメッセージタイプフィールド１１２０とが存在し、その残りは前記プロトコル識別子フィールド１１１０と前記メッセージタイプフィールド１１２０とに対応する可変長情報フィールド１１３０で構成されていることが分かる。
【００８９】
プロトコル識別子フィールド１１１０の値が“０００”である場合、前記可変長情報フィールド１１３０にブルーツース規格で定義しているＴＣＳ呼制御（ＴＣＳ Ｃａｌｌ Ｃｏｎｔｒｏｌ）情報が載せられて伝えられるということを意味し、“００１”である場合にはＴＣＳグループ管理情報が、“０１０”である場合にはＴＣＳ無接続情報が載せられて伝えられるということを意味する。
【００９０】
前記のような値は既にブルーツース規格で定義されているが、本発明ではこのプロトコル識別子フィールド１１１０に新たな値を定義して使用する。すなわち、“１００”である場合に前記可変長情報フィールド１１３０に圧縮されたオーディオ情報を載せて伝達するようにした。すなわち、ブルーツース規格ではＳＣＯリンクを割当てられて電話のオーディオ信号を伝達可能に規定しているが、本発明では呼設定のための制御メッセージなどが伝えられるチャンネルのＡＣＬリンクで使われるデータ構造のプロトコル識別子にオーディオパケット伝達を意味する所定の値を定め、この値によって可変長情報フィールド１１３０にオーディオパケットを載せて伝達する。
【００９１】
図１１Ｃはメッセージタイプフィールド値の種類を示したものである。メッセージタイプフィールド１１２０値が“０００００”である場合は、圧縮されたオーディオデータが可変長情報フィールド１１３０に存在することを意味し、圧縮されたオーディオデータの種類や長さ情報は前記可変長情報フィールド１１３０に存在する。
【００９２】
メッセージタイプフィールド値１１２０が“００００１”である場合は流れ制御機能を使用する場合であって、相手の圧縮されたオーディオ情報を確かに受取り、かつ受信する準備ができていることを意味し、“０００１０”は現在バッファがいっぱいになっているか、これ以上の受信が不可能な場合を意味する。すなわち、送信側にオーディオパケットアクノリッジ（ａｕｄｉｏ ｐａｃｋｅｔ ａｃｋｎｏｗｌｅｄｇｅ）を送るまで送信中断を要請する時に使われる値である。
【００９３】
オーディオパケットの伝送速度はＧ．７２３．１である場合に６．３ｋｂｐｓ以下であるために前記可変長情報フィールド１１３０に載せて十分に伝達しうる。
【００９４】
オーディオパケットを送受信する他の方法としてはトラフィック用ＡＣＬリンクを要求する呼設定メッセージを通じて新たなＡＣＬリンクを割当てられて呼設定完了後に割当てられたＡＣＬリンクを通じて行う方法もある。
【００９５】
一方、前述した本発明の実施例はコンピュータで実行されうるプログラムで作成可能であり、コンピュータで読取れる記録媒体を用いて前記プログラムを動作させる汎用デジタルコンピューターで具現されうる。
【００９６】
また前述した本発明の実施例で使われたデータの構造はコンピュータで読取れる記録媒体に様々な手段を通じて記録されうる。
【００９７】
前記コンピュータで読取れる記録媒体はマグネチック貯蔵媒体（例えば、ＲＯＭ、フロッピーディスク、ハードディスクなど）、光学的判読媒体（例えば、ＣＤ ＲＯＭ、ＤＶＤなど）及びキャリアウェーブ（例えば、インターネットを通じた伝送）のような貯蔵媒体を含む。
【００９８】
以上、本発明についてその望ましい実施例を中心に説明した。本発明が属する技術分野で当業者は本発明が本発明の本質的な特性から外れない範囲で変形された形に具現されうることを理解しうる。したがって、開示された実施例は限定的な観点でなく、説明的な観点で考慮されねばならない。本発明の範囲は前述した説明でなく、特許請求の範囲に示されており、それと同等な範囲内にあるあらゆる違いは本発明に含まれるものと解釈されねばならない。
【００９９】
【発明の効果】
以上述べたように、本発明のインターネット無線電話機を使用すれば、１本のインターネット回線で最大７人が同時に無線でインターネットフォンを使用できるために、費用節減及び使用空間の制約を減らせる。
【０１００】
そして、ＳＣＯリンクは最大３つのチャンネルしか使用できないが、ＡＣＬリンクは最大７つを使用でき、トラフィックも６．３ｋｂｐｓ×７で４４．１ｋｂｐｓしかならないために、トラフィックが非常に小さいという長所がある。
【０１０１】
特に最大７人が電話をかけるだけでなく、電話を受けることもできるために、各個人が各々区別される無線ハンドセットを有しうる。したがって、他の人の通話の如何を問わず、自分の無線ハンドセットで電話をかけたり、受けたりすることができ、無線ハンドセットに電話帳のような自分だけの情報を記録して使用できる便利さがある。
【０１０２】
したがって、家庭、事務室、小規模事業場（ＳＯＨＯ）等で個人の私生活を守るのに有利でありつつも安価のインターネットフォン手段として便利に使用されうる。
【図面の簡単な説明】
【図１】本発明のインターネット無線電話機の全体ブロック図である。
【図２】本発明のインターネット無線電話機のインターネットフォンステーション構成図面である。
【図３】本発明のインターネットフォンステーションの詳細ブロック図である。
【図４Ａ】通信処理及びシステム制御部のＲＯＭに搭載されるソフトウェアプロトコルスタック図面である。
【図４Ｂ】ブルーツースインターフェースが備わった携帯電話と通信する場合に使われる通信処理及びシステム制御部のＲＯＭに搭載されたソフトウェアプロトコルスタック図面である。
【図５】本発明のインターネット無線電話機の無線ハンドセットブロック図である。
【図６】本発明の無線ハンドセットの詳細ブロック図である。
【図７】通信処理及びハンドセット制御部のＲＯＭに搭載されるソフトウェアプロトコルスタック図面である。
【図８】無線ハンドセットを用いてインターネットフォンをかける呼出し信号接続過程の例を示す図面である。
【図９】外部からかかってきたインターネットフォンを無線ハンドセットで受ける着信号接続過程の例を示す図面である。
【図１０】通話を終える場合の呼解除手続きを示す図面である。
【図１１Ａ】ＡＣＬリンクで使われるパケットのデータ構造を示す図面である。
【図１１Ｂ】ＡＣＬリンクで使われるパケットのデータ構造を示す図面である。
【図１１Ｃ】ＡＣＬリンクで使われるパケットのデータ構造を示す図面である。
【符号の説明】
１００  インターネットフォンステーション
１１０  無線ハンドセット
【図１】
0003917927.tif 000002
【図２】
0003917927.tif 000003
【図３】
0003917927.tif 000004
【図４Ａ】
0003917927.tif 000005
【図４Ｂ】
0003917927.tif 000006
【図５】
0003917927.tif 000007
【図６】
0003917927.tif 000008
【図７】
0003917927.tif 000009
【図８】
0003917927.tif 000010
【図９】
0003917927.tif 000011
【図１０】
0003917927.tif 000012
【図１１Ａ】
0003917927.tif 000013
【図１１Ｂ】
0003917927.tif 000014
【図１１Ｃ】
0003917927.tif 000015